(57)【特許請求の範囲】
【請求項１】
映像表示装置をテーブル上あるいは床上に載置するためのスタンドの機能と、前記映像表示装置の映像表示に伴う音声出力を行うスピーカ機能とを備えたスピーカ装置であって、
前記映像表示装置の質量を受けた超磁歪素子に前記音声信号に応じた磁界を与え前記磁界に応じた変位を発生させる超磁歪アクチュエータと、
前記映像表示装置の質量の所定の割合を前記超磁歪アクチュエータに与えると共に残りの部分を受ける質量分配機能を有する脚部と、を有し、
前記超磁歪アクチュエータは、前記音声信号に応じて前記テーブルあるいは前記床を振動させる、
ことを特徴とするスピーカ装置。
【請求項２】
映像表示装置をテーブル上あるいは床上に載置するためのスタンドの機能と、前記映像表示装置の映像表示に伴う音声出力を行うスピーカ機能とを備えたスピーカ装置であって、
前記映像表示装置の質量を受けた超磁歪素子に前記音声信号に応じた磁界を与え前記磁界に応じた変位を発生させる超磁歪アクチュエータと、
前記映像表示装置の質量の所定の割合を前記超磁歪アクチュエータに与えると共に残りの部分を受ける質量分配機能を有する脚部と、
前記超磁歪アクチュエータと接する前記スタンドの台部と、を有し、
前記超磁歪アクチュエータは、前記音声信号に応じて前記台部を振動させる、
ことを特徴とするスピーカ装置。
【請求項３】
映像表示装置をテーブル上あるいは床上に載置するためのスタンドの機能と、前記映像表示装置の映像表示に伴う音声出力を行うスピーカ機能とを備えたスピーカ装置であって、
前記映像表示装置の質量を受けた超磁歪素子に前記音声信号に応じた磁界を与え前記磁界に応じた変位を発生させる超磁歪アクチュエータと、を有し、
前記超磁歪アクチュエータは複数配置され、前記映像表示装置の質量の所定の割合で分配しつつ、それぞれの超磁歪アクチュエータが脚部として作用すると共に前記音声信号に応じて前記テーブルあるいは前記床を振動させる、
ことを特徴とするスピーカ装置。
【請求項４】
映像表示装置をテーブル上あるいは床上に載置するためのスタンドの機能と、前記映像表示装置の映像表示に伴う音声出力を行うスピーカ機能とを備えたスピーカ装置であって、
前記映像表示装置の質量を受けた超磁歪素子に前記音声信号に応じた磁界を与え前記磁界に応じた変位を発生させる超磁歪アクチュエータと、
前記超磁歪アクチュエータと接する前記スタンドの台部と、を有し、
前記超磁歪アクチュエータは複数配置され、前記映像表示装置の質量の所定の割合で分配しつつ、それぞれの超磁歪アクチュエータが脚部として作用すると共に前記音声信号に応じて前記台部を振動させる、
ことを特徴とするスピーカ装置。
【請求項５】
前記超磁歪アクチュエータは、
有底有蓋筒状であって磁気経路を構成するヨークと、
前記ヨークの蓋部に一端が固定され、他端が自由端に構成され、前記ヨークの筒状方向に配置され、磁界の変動に応じた変位を発生させる超磁歪素子と、
前記ヨーク内で前記超磁歪素子周囲に配置され外部から供給される信号に応じた磁界を発生させるコイルと、
一端が前記超磁歪素子の自由端に接すると共に、前記ヨークの底部の中心穴を貫通した他端が、前記超磁歪素子の変位を外部物体に伝達するように配置され、中間部に鍔部を有する振動ロッドと、
前記振動ロッドに設けられた前記鍔部と前記ヨークの底部とに挟まれて配置されるゴム弾性体と、を有する、
ことを特徴とする請求項１乃至請求項４のいずれかに記載のスピーカ装置。
【発明の詳細な説明】
【技術分野】
【０００１】
本発明は映像表示装置のスタンドとしての機能を有すると共に、超磁歪素子の変位により外部を振動させるスピーカとしての機能とを有するスピーカ装置に関する。
【背景技術】
【０００２】
磁界を与えられると物質の形状が変化する現象として磁歪現象が知られている。そして、磁界が与えられると１０００ppm以上の寸法変化生じる超磁歪材料が近年開発されてきている。
【０００３】
また、この超磁歪材料は発生応力が大きく、４００kgf/mm2以上にもなる。さらに、こ
の超磁歪材料は高速応答が可能であり、１マイクロ秒以下で寸法が変化するものも存在している。
【０００４】
そして、この種の超磁歪材料を棒状の超磁歪素子として、寸法変化をアクチュエータとして使用したり、さらに、この磁歪素子を用いたアクチュエータをスピーカの駆動源として使用することが試みられている。
【０００５】
なお、このような超磁歪材料を棒状にした超磁歪素子をスピーカに用いたものとしては、たとえば、以下の特許文献１に記載されたものが存在している。
【特許文献１】特開平１０−１４５８９２号公報（第１頁、図１）
【発明の開示】
【発明が解決しようとする課題】
【０００６】
以上の特許文献１記載のスピーカ装置は、窓ガラス面、壁面、壁に掛けられた絵画や写真などを振動板として振動させ、スピーカとして動作するように構成されたものである。なお、壁面、絵画、写真などは比較的振動しやすい部材であるため、振動板として使用することは容易である。
【０００７】
しかし、このようなスピーカ装置を床面に載置して床面を振動板として使用したり、比較的丈夫なテーブル上に載置してテーブル面を振動板として使用しようとした場合、床面やテーブル面が堅固であって大面積である場合には、超磁歪素子の変位がスピーカ装置自身を振動させることに使用されてしまい、スピーカとして十分な音量を得ることができないという問題が発生する。また、これに関連して、スピーカ装置が高音質・高忠実度の音声を出力できないという問題も発生する。
【０００８】
ところで、近年、液晶ディスプレイ装置、プラズマディスプレイ装置などで薄型かつ大画面の映像表示装置が多数販売されている。このような映像表示装置では、正面から見た場合には筐体の大部分を映像表示のためのディスプレイ面に用いるために、スピーカを配置する面積が殆どないという問題がある。また、従来から知られているように、スピーカとしては、低音をだすためには大きな振動板が必要であるものの、そのような空間が存在していないという問題もある。
【０００９】
本発明は、以上のような課題を解決するためになされたものであって、各種の映像表示装置に使用可能であって、設置場所について映像表示部に影響を与えることなく、音響特性の良いスピーカ装置を提供することを目的とする。
【課題を解決するための手段】
【００１０】
以上の課題を解決する本発明は、以下に記載するようなものである。
（１）請求項１記載の発明は、映像表示装置をテーブル上あるいは床上に載置するためのスタンドの機能と、前記映像表示装置の映像表示に伴う音声出力を行うスピーカ機能とを備えたスピーカ装置であって、前記映像表示装置の質量を受けた超磁歪素子に前記音声信号に応じた磁界を与え前記磁界に応じた変位を発生させる超磁歪アクチュエータと、前記映像表示装置の質量の所定の割合を前記超磁歪アクチュエータに与えると共に残りの部分を受ける質量分配機能を有する脚部と、を有し、前記超磁歪アクチュエータは、前記音声信号に応じて前記テーブルあるいは前記床を振動させる、ことを特徴とするスピーカ装置である。
【００１１】
（２）請求項２記載の発明は、映像表示装置をテーブル上あるいは床上に載置するためのスタンドの機能と、前記映像表示装置の映像表示に伴う音声出力を行うスピーカ機能とを備えたスピーカ装置であって、前記映像表示装置の質量を受けた超磁歪素子に前記音声信号に応じた磁界を与え前記磁界に応じた変位を発生させる超磁歪アクチュエータと、前記映像表示装置の質量の所定の割合を前記超磁歪アクチュエータに与えると共に残りの部分を受ける質量分配機能を有する脚部と、前記超磁歪アクチュエータと接する前記スタンドの台部と、を有し、前記超磁歪アクチュエータは、前記音声信号に応じて前記台部を振動させる、ことを特徴とするスピーカ装置である。
【００１２】
（３）請求項３記載の発明は、映像表示装置をテーブル上あるいは床上に載置するためのスタンドの機能と、前記映像表示装置の映像表示に伴う音声出力を行うスピーカ機能とを備えたスピーカ装置であって、前記映像表示装置の質量を受けた超磁歪素子に前記音声信号に応じた磁界を与え前記磁界に応じた変位を発生させる超磁歪アクチュエータと、を有し、前記超磁歪アクチュエータは複数配置され、前記映像表示装置の質量の所定の割合で分配しつつ、それぞれの超磁歪アクチュエータが脚部として作用すると共に前記音声信号に応じて前記テーブルあるいは前記床を振動させる、ことを特徴とするスピーカ装置である。
【００１３】
（４）請求項４記載の発明は、映像表示装置をテーブル上あるいは床上に載置するためのスタンドの機能と、前記映像表示装置の映像表示に伴う音声出力を行うスピーカ機能とを備えたスピーカ装置であって、前記映像表示装置の質量を受けた超磁歪素子に前記音声信号に応じた磁界を与え前記磁界に応じた変位を発生させる超磁歪アクチュエータと、前記超磁歪アクチュエータと接する前記スタンドの台部と、を有し、前記超磁歪アクチュエータは複数配置され、前記映像表示装置の質量の所定の割合で分配しつつ、それぞれの超磁歪アクチュエータが脚部として作用すると共に前記音声信号に応じて前記台部を振動させる、ことを特徴とするスピーカ装置である。
【００１４】
（５）請求項５記載の発明は、前記超磁歪アクチュエータは、有底有蓋筒状であって磁気経路を構成するヨークと、前記ヨークの蓋部に一端が固定され、他端が自由端に構成され、前記ヨークの筒状方向に配置され、磁界の変動に応じた変位を発生させる超磁歪素子と、前記ヨーク内で前記超磁歪素子周囲に配置され外部から供給される信号に応じた磁界を発生させるコイルと、一端が前記超磁歪素子の自由端に接すると共に、前記ヨークの底部の中心穴を貫通した他端が、前記超磁歪素子の変位を外部物体に伝達するように配置され、中間部に鍔部を有する振動ロッドと、前記振動ロッドに設けられた前記鍔部と前記ヨークの底部とに挟まれて配置されるゴム弾性体と、を有する、ことを特徴とする請求項１乃至請求項４のいずれかに記載のスピーカ装置である。
【発明の効果】
【００１５】
本発明によれば、以下のような効果が得られる。
（１）請求項１記載の発明では、映像表示装置をテーブル上あるいは床上に載置する際に、映像表示装置の質量の所定の割合を超磁歪アクチュエータに与えると共に残りの部分を脚部で受けるようにしておき、映像表示装置の質量を受けた超磁歪素子に音声信号に応じた磁界を与え磁界に応じた変位を超磁歪アクチュエータから発生させることで、超磁歪アクチュエータが音声信号に応じてテーブルあるいは床を振動させる。
【００１６】
この結果、各種の映像表示装置のスタンドとして使用可能であって、スタンドの脚部近傍に超磁歪アクチュエータを配置するため、設置場所について映像表示部に影響を与えることなく、超磁歪アクチュエータがテーブルあるいは床を振動させるため、音響特性の良いスピーカ装置を実現できる。
【００１７】
（２）請求項２記載の発明では、映像表示装置をテーブル上あるいは床上に載置する際に、映像表示装置の質量の所定の割合を超磁歪アクチュエータに与えると共に残りの部分を脚部で受けるようにしておき、映像表示装置の質量を受けた超磁歪素子に音声信号に応じた磁界を与え磁界に応じた変位を超磁歪アクチュエータから発生させることで、超磁歪アクチュエータが音声信号に応じて台部を振動させる。
【００１８】
この結果、各種の映像表示装置のスタンドとして使用可能であって、スタンドの脚部近傍に超磁歪アクチュエータを配置するため、設置場所について映像表示部に影響を与えることなく、超磁歪アクチュエータがスタンドの台部を振動させるため、音響特性の良いスピーカ装置を実現できる。
【００１９】
（３）請求項３記載の発明では、映像表示装置をテーブル上あるいは床上に載置する際に、映像表示装置の質量の所定の割合で複数の超磁歪アクチュエータに与えるようにしておき、各超磁歪アクチュエータがスタンドの脚部として作用すると共に、映像表示装置の質量を受けた超磁歪素子に音声信号に応じた磁界を与え磁界に応じた変位を超磁歪アクチュエータから発生させることで、超磁歪アクチュエータが音声信号に応じてテーブルあるいは床を振動させる。
【００２０】
この結果、各種の映像表示装置のスタンドとして使用可能であって、スタンドと兼用で複数の超磁歪アクチュエータを配置するため、設置場所について映像表示部に影響を与えることなく、超磁歪アクチュエータがテーブルあるいは床を振動させるため、音響特性の良いスピーカ装置を実現できる。
【００２１】
（４）請求項４記載の発明では、映像表示装置をテーブル上あるいは床上に載置する際に、映像表示装置の質量の所定の割合で複数の超磁歪アクチュエータに与えるようにしておき、各超磁歪アクチュエータがスタンドの脚部として作用すると共に、映像表示装置の質量を受けた超磁歪素子に音声信号に応じた磁界を与え磁界に応じた変位を超磁歪アクチュエータから発生させることで、超磁歪アクチュエータが音声信号に応じて台部を振動させる。
【００２２】
この結果、各種の映像表示装置のスタンドとして使用可能であって、スタンドと兼用で複数の超磁歪アクチュエータを配置するため、設置場所について映像表示部に影響を与えることなく、超磁歪アクチュエータがスタンドの台部を振動させるため、音響特性の良いスピーカ装置を実現できる。
【００２３】
（５）請求項５記載の発明では、上記（１）〜（４）のいずれかにおいて、超磁歪アクチュエータが、有底有蓋筒状であって磁気経路を構成するヨークの蓋部に一端が固定され、他端が自由端に構成されて超磁歪素子が配置されている。また、ヨーク内で超磁歪素子周囲には信号に応じた磁界を発生させるコイルが配置されている。そして、中間部に鍔部を有する振動ロッドを介して超磁歪素子の変位が外部物体に伝達されるように配置されている。ここで、映像表示装置の質量によって超磁歪素子の変位が外部物体に有効に伝達される。これにより、コイルに供給される信号に応じた超磁歪素子の変位により外部物体が振動する。ここで、振動ロッドに設けられた鍔部とヨークの底部との間にはゴム弾性体が挟まれて配置されており、超磁歪素子の変位による振動に関して、余分な振動を付け加えることなく減衰力によって速やかに収束させる。この結果、各種の映像表示装置のスタンドとして使用可能であって、スタンドと兼用で複数の超磁歪アクチュエータを配置するため、設置場所について映像表示部に影響を与えることなく、超磁歪アクチュエータがテーブルあるいは床またはスタンドの台部を振動させるため、音響特性の良いスピーカ装置を実現できる。
【発明を実施するための最良の形態】
【００２４】
以下、図面を参照して本発明を実施するための最良の形態（以下、実施形態）を詳細に説明する。
〈第一実施形態〉
図１は本発明の第一実施形態のスピーカ装置（スタンド兼スピーカ装置）１０００を示す説明図である。ここで、図１（ａ）は映像表示装置（ディスプレイ装置）２０００に対して取り付けられ、スタンドとしての機能とスピーカとしての機能とを果たしている状態を示す説明図である。また、図１（ｂ）は、第一実施形態のスタンド兼スピーカ装置１０００の主要構成要素である超磁歪アクチュエータ１１００の断面構成を示す断面図である。
【００２５】
まず、図１（ａ）において、２０００は近年、液晶ディスプレイ装置、プラズマディスプレイ装置などで薄型かつ大画面の表示画面２１００を有するディスプレイ装置である。ここで、正面から見た場合、表示画面２１００をできるだけ大きくするために、正面にはスピーカを配置する十分なスペースが存在していない。
【００２６】
１０００は、ディスプレイ装置２０００をテーブル上あるいは床上に載置するためのスタンドとしての機能と、ディスプレイ装置２０００の映像表示に伴う音声出力を行うスピーカ機能とを備えたスタンド兼スピーカ装置である。なお、このスタンド兼スピーカ装置１０００は、請求項におけるスピーカ装置である。
【００２７】
このスタンド兼スピーカ装置１０００は、天板としてディスプレイ取り付け部１０１０と、床板としての台部１０２０と、音声信号に応じた振動を発生させる超磁歪アクチュエータ１１００と、質量分配機能を有する脚部１２００および１３００と、を有して構成されている。
【００２８】
１０１０はスタンド兼スピーカ装置１０００の天板であり、ディスプレイ装置２０００が取り付けられるディスプレイ装置取り付け部である。例えば、このディスプレイ取り付け部１０１０側の凸部とディスプレイ装置２０００の凹部とが嵌り合うこと等により、スタンド兼スピーカ装置１０００によって、ディスプレイ装置２０００はテーブル上あるいは床上に載置される。
【００２９】
１１００はディスプレイ装置２０００の質量を受けた超磁歪素子に、音声信号に応じた磁界を与え、磁界に応じた変位を発生させる超磁歪アクチュエータであり、スタンド兼スピーカ装置１０００のスピーカとしての中心的な構成要素である。なお、この超磁歪アクチュエータ１１００の内部構成については、図１（ｂ）を用いて詳細に説明する。
【００３０】
１２００はディスプレイ装置２０００の質量の所定の割合を、超磁歪アクチュエータ１１００に与えると共に残りの部分を受ける質量分配機能を有する脚部である。１３００はディスプレイ装置２０００の質量の所定の割合を、超磁歪アクチュエータ１１００に与えると共に残りの部分を受ける質量分配機能を有する脚部である。
【００３１】
ここで、脚部１２００と脚部１３００とは同一の構成となっており、図１（ａ）に脚部１３００の内部構成の一例を示している。ここで、脚部１３００は、円柱１３１０と、円柱１３１０の外径とほぼ等しい内径を有する円筒１３３０と、円筒１３２０内で円柱１３１０を受けるバネやゴムなどの各種弾性体で構成された緩衝部材１３３０と、から構成されている。また、円柱と円筒との上下の向きは逆であってもよい。なお、円柱と円筒だけでなく、角柱と角筒であってもよい。
【００３２】
また、超磁歪アクチュエータ１１００は、図１（ｂ）に示すように、ディスプレイ装置２０００の質量を受けつつ、音声信号に応じてテーブルあるいは床などを振動させる振動発生手段である。
【００３３】
この図１（ｂ）に示される超磁歪アクチュエータ１１００において、１１１０は、磁界を与えられると物質の形状が変化する磁歪現象を生じる超磁歪材料を棒状に形成された超磁歪素子である。ここで、超磁歪素子１１００は、ヨークの蓋部側に近い第一超磁歪素子１１１１と、ヨークの底側部に近い第二超磁歪素子１１１２とに分割されている。
【００３４】
また１１２０（１１２１，１１２２，１１２３）は、超磁歪素子１１１０の軸方向にバイアス磁界を与えるためのバイアス磁石である。ここで、１１２１は超磁歪素子１１１１の一端とヨークの蓋部側との間に配置された第一バイアス磁石であり、１１２２は超磁歪素子１１１２の一端と振動ロッドとの間に配置された第二バイアス磁石であり、１１２３は超磁歪素子１１１１と超磁歪素子１１１２との間に配置された第三バイアス磁石である。そして、これら、第一バイアス磁石１１１１、第二バイアス磁石１１１２、第三バイアス磁石１１１３は、超磁歪素子１１１１と超磁歪素子１１１２とに対して、超磁歪素子の軸方向であって同じ向きの磁界を発生させる。
【００３５】
１１３０は、超磁歪素子１１１０周囲に配置され、ワイヤ１１３２を介して外部から供給される信号に応じた磁界を発生させるコイルであり、超磁歪素子１１１０周囲に配置されたコイルボビン１１３２に巻回されたソレノイドコイルである。
【００３６】
１１４０は、有底有蓋筒状であって磁気経路を構成するヨークであり、筒部上側と蓋部からなるアッパーヨーク１１４１と、筒部下側と底部からなるボトムヨーク１１４２とから構成されている。なお、ボトムヨーク１１４２の底部の中心付近には中心穴が設けられており、後述する振動ロッドが貫通している。なお、アッパーヨーク１１４１とボトムヨーク１１４２とは互いに接する部分に互いに嵌り合うねじ山が設けられている。そして、この筒状のヨーク１１４０の中心軸付近に棒状の超磁歪素子１１１０が配置され、その周囲にコイル１１３０が巻回されている。また、このヨーク１１４０と超磁歪素子１１１０と後述する振動ロッド１１５１とで磁気的な閉回路を構成している。
【００３７】
１１５１は、一端が超磁歪素子１１１０（１１１１）の自由端に接すると共に、ボトムヨーク１１４２の底部の中心穴を貫通した他端が、超磁歪素子１１１０の変位を外部物体に伝達するように配置された振動ロッドである。なお、この振動ロッド１１５１は、中間部に鍔部１１５１ａを有するように構成されている。また、振動ロッド１１５１の他端側（外部物体側）には、振動ロッド１１５１の断面積よりも大きい面積の振動接触板としてのコンタクト１１５２を有し、このコンタクト１１５２を介して、振動ロッド１１５１は超磁歪素子１１１０の変位を台部１０２０あるいは床などの外部物体に伝達している。
【００３８】
１１６０は振動ロッド１１５１に設けられた鍔部１１５１ａと、ボトムヨーク１１４２の底部とに挟まれて配置されるゴム弾性体によるダンパである。そして、アッパーヨーク１１４１とボトムヨーク１１４２とがねじ込まれた場合には、ダンパ１１６０には縮み側の力が働いた状態になる。
【００３９】
１１７０は、ボトムヨーク１１４２の底部の中心穴を貫通する振動ロッドが超磁歪素子１１１０の変位に応じて振動する際に、ボトムヨーク１１４２の中心穴との摩擦抵抗を減じるための滑り手段として設けられたオーリングである。なお、このオーリング１１７０は、ベアリングなどに変更することも可能である。
【００４０】
ここで、この超磁歪素子１１１０に与えられる磁界Ｈと形状変化（磁歪）ΔＩ／Ｉとの関係は、一例を示せば図２（ａ）のようになっている。ここに示す特性例では、磁界Ｈを正負のいずれにも強くするに従い磁歪が大きくなる特性を有している。
【００４１】
したがって、バイアス磁界を与えておいて、そのバイアス磁界を中心に信号に応じて磁界を変化させることで（図２（ｂ））、信号に応じた振動を得ることができる（図２（ｃ））。なお、この場合、直線性の良い領域を使用することで、磁界変化に応じた忠実な振動を得ることが可能になる。したがって、このような直線性の良い領域の中心に、バイアス磁石１１１〜１１３によるバイアス磁界を選択しておくことが望ましい。
【００４２】
以上のようなスタンド兼スピーカ装置１０００の構成によれば、超磁歪アクチュエータ１１００の振動ロッドの端（コンタクト１１５２）が台部１０２０上に載置された状態では、ディスプレイ装置２０００がディスプレイ取り付け部１０１０とヨーク１１４０とを介して超磁歪素子１１１０に荷重をかけることによって、超磁歪素子１１１０の変位が外部物体に有効に伝達されるようになる。
【００４３】
これにより、コイル１３０に供給される音声信号に応じた超磁歪素子１１１０の変位により台部１０２０が振動する。また、台部１０２０が接する床も振動する。ここで、振動ロッド１１５１に設けられた鍔部１１５１ａとヨーク１１４０の底部との間にはゴム弾性体によるダンパ１１６０が挟まれて配置されており、超磁歪素子１１１０の変位による振動に関して、余分な振動を付け加えることなく減衰力によって速やかに収束させる。
【００４４】
また、発明者が別途実験を行って周波数特性を計測したところ、以下のような結果が得られた。
コイルスプリングをダンパ１１６０として採用した場合には、２ｋＨｚ付近で激しいピークが生じており、かつ、低域が徐々に低下し、フラットな周波数特性が得られず、磁歪スピーカとして望ましい特性を得ることができなかった。
【００４５】
一方、硬度３２°の低弾性ゴム、硬度６５°のブチルゴム、硬度５０°のシリコンゴムをダンパ１１６０として採用した場合には、コイルスプリングの場合のようなピークは生じることがなく、かつ、低域の特性も向上し、フラットな周波数特性が得られ、磁歪スピーカとして望ましい特性を得ることができた。このため、コイル１３０に供給される信号波形と振動波形とが広い周波数範囲にわたってほぼ一致した状態になり、周波数によるレベルの差が小さく、磁界変化に応じた忠実な振動を得ることが可能になる。
【００４６】
この結果、スタンド兼スピーカ装置１０００の超磁歪アクチュエータ１１００を、床やテーブル上などの水平面上の台部１０２０に載置して使用する場合に、ゴム弾性体をダンパ１１６０として用いることで、音響特性の良い動作を実現することができる。
【００４７】
なお、このスタンド兼スピーカ装置１０００の超磁歪アクチュエータ１１００では、振動ロッド１１５１の断面積よりも大きい面積の振動接触板としてのコンタクト１１５２を介して超磁歪素子１１１０の変位を外部物体に伝達している。この結果、スタンド兼スピーカ装置１０００の超磁歪アクチュエータ１１００を水平面上に載置して垂直方向の振動を使用する場合に、超磁歪素子１１１０の変位を確実かつ忠実に外部物体に伝達できるようになり、音響特性の良い動作を実現することができる。
【００４８】
また、このスタンド兼スピーカ装置１０００の超磁歪アクチュエータ１１００では、振動接触板としてのコンタクト１１５２は、伝達する振動の周波数成分（周波数特性の広／狭）や振幅（音量の大／小）に応じて、異なる材質、異なる面積で構成されることが好ましい。そして、振動ロッド１１５１の他端にねじ込みなどにより、取付自在に構成されることが好ましい。このようにすることで、超磁歪アクチュエータ１１００を水平面上に載置して垂直方向の振動を使用する場合に、用途や使用目的に応じて超磁歪素子の変位を確実かつ忠実に外部物体に伝達できるようになり、音響特性の良い動作を実現することができる。また、外部物体としての床やテーブルの材質、硬度、振動吸収性などに応じて、振動接触板としてのコンタクト１１５２の材質や面積を変更してもよい。
【００４９】
また、このスピーカ装置１０００／超磁歪アクチュエータ１１００では、超磁歪素１１０を第一超磁歪素子１１１１と第二超磁歪素子１１１２とに分割し、３つのバイアス磁石で挟むことで、均等な磁界を超磁歪素子１１１０に対して与えることが可能になり、音響特性の良い動作を実現することができる。
【００５０】
また、このスタンド兼スピーカ装置１０００では、ディスプレイ装置２０００の質量を超磁歪アクチュエータ１１００と脚部１２００および脚部１３００とで分配しており、緩衝部材１３３０（１２３０）の定数を変更することで、適切な荷重を超磁歪アクチュエータ１１００に加えることが可能になる。
【００５１】
なお、コイル１３０のインピーダンス特性を一般的なスピーカの特性（４Ω〜１６Ω程度）に合致させておくことで、各種オーディオ機器との接続を一般的なスピーカと同様に扱うことが可能になり、特別な機器や配線などが必要なくなり使い勝手が向上する。
【００５２】
また、この実施形態の超磁歪アクチュエータ１１００には、５．１チャンネルや６．１チャンネルなどのマルチチャンネル再生時のセンター（Ｃ）の音声信号を供給することで、音像定位が安定し、センタースピーカー配置場所に悩むこともなくなる。
【００５３】
〈第二実施形態〉
図３は本発明の第二実施形態のスタンド兼スピーカ装置１０００の断面構成を示す断面図である。この図３の第二実施形態のスタンド兼スピーカ装置１０００では、基本的には図１に示した第一実施形態のスピーカ装置と類似した断面構成になっている。このため、同一物には同一番号を付すことで重複した説明を省略する。
【００５４】
ここでは、超磁歪アクチュエータ１１００のコンタクト１１５２の部分で、台部１０２０’に穴が設けられている。そして、コンタクト１１５２は、直接、設置場所の床に接している。このため、より大面積である床をスピーカの振動板として用いることが可能になる。なお、畳やカーペットなどの柔らかい材質である場合には、この第二実施形態は適さないため、設置場所の床の材質や振動特性を鑑みて、第一実施形態と第二実施形態とを使い分けることが望ましい。
【００５５】
〈第三実施形態〉
図４は本発明の第三実施形態のスタンド兼スピーカ装置１０００の断面構成を示す断面図である。この図４の第三実施形態のスタンド兼スピーカ装置１０００では、基本的には図１に示した第一実施形態のスピーカ装置と類似した断面構成になっている。このため、同一物には同一番号を付すことで重複した説明を省略する。
【００５６】
ここでは、第一実施形態における脚部１２００・１３００を用いる代わりに、複数の超磁歪アクチュエータ１１００を脚部としても用いるようにしておき、ディスプレイ装置２０００の質量を複数の超磁歪アクチュエータ１１００で相互に分配する構成になっている。
【００５７】
この場合、複数の超磁歪アクチュエータ１１００に同じ音声信号を供給してもよいし、センター（Ｃ）用の音声信号が供給される超磁歪アクチュエータ１１００Ｃと、左（Ｌ）用の音声信号が供給される超磁歪アクチュエータ１１００Ｌと、右（Ｒ）用の音声信号が供給される超磁歪アクチュエータ１１００Ｒと、いうように、マルチチャンネル再生におけるセンター及び左右用の３チャンネル分に使い分けることも可能である。
【００５８】
また、左（Ｌ）用の音声信号が供給される超磁歪アクチュエータ１１００Ｌと、右（Ｒ）用の音声信号が供給される超磁歪アクチュエータ１１００Ｒと、いうように２チャンネルとして使い分けることも可能である。
【００５９】
また、この第三実施形態の場合も、上述した第二実施形態を適用して、直接に床を振動させることも可能である。
〈第四実施形態〉
以上の第三実施形態の改良として、超磁歪アクチュエータ１１００Ｃの後ろ側に別の超磁歪アクチュエータ１１００（図示せず）を配置し、低音用（０．１）用の音声信号を供給することも可能である。このようにすることで、マルチチャンネル再生時のスーパーウーハーの設置場所に困ることもなくなり、スペースを有効に使用することが可能になる。
【００６０】
また、この第四実施形態の場合も、上述した第二実施形態を適用して、直接に床を振動させることも可能である。
〈第五実施形態〉
以上の第一実施形態〜第四実施形態の改良として、超磁歪アクチュエータ１１００の内部に音声信号を増幅するアンプを内蔵させておくことも可能である。この場合、アンプの入力レベルを通常のライン入力と同じに設定しておくことで、他の機器と遜色なく使用することが可能になる。
【図面の簡単な説明】
【００６１】
【図１】本発明の第一の実施形態のスタンド兼スピーカ装置の構成を示す構成図である。
【図２】本発明の第一の実施形態のスタンド兼スピーカ装置の超磁歪素子の特性を示す特性図である。
【図３】本発明の第二の実施形態のスタンド兼スピーカ装置の構成を示す構成図である。
【図４】本発明の第三の実施形態のスタンド兼スピーカ装置の構成を示す構成図である。
【符号の説明】
【００６２】
１０００  スタンド兼スピーカ装置（スピーカ装置）
１０１０  天板
１０２０  台部
１１００  超磁歪アクチュエータ
１２００  脚部
１３００  脚部
【図１】
0004673201.tif 000002
【図２】
0004673201.tif 000003
【図３】
0004673201.tif 000004
【図４】
0004673201.tif 000005